(57)【特許請求の範囲】
【請求項１】
胸ベルトと肩ベルトからなるハーネス部を有すると共に、空気供給源から中圧空気を送り込む中圧ホースの連結部を該胸ベルトに配置し、手動式の調節ツマミを備えた一定量のエアを面体に供給するエア流量調整装置をマスク面口部に配置し、且つ該中圧ホース連結部と該エア流量調整装置間を少なくとも一部が伸長時と収縮時の全体の長さを変化させることなく伸縮するコイル構造をもつ中圧連結管で連結したことを特徴とする一定流量形エアラインマスク。
【請求項２】
中圧連結管が架橋ポリウレタンホースからなる請求項1のエアラインマスク。
【請求項３】
マスク面口本体内部にフィルタを装着してなる請求項１又は２記載のエアラインマスク。
【請求項４】
該フィルタが粉じん除去機能をもつシート状フィルタと消音機能をもつ発泡体フィルタとの複合構造フィルタである請求項３記載のエアラインマスク。
【発明の詳細な説明】
【０００１】
【発明の属する技術分野】
本発明はエアラインマスク、特に一定流量形エアラインマスクに関する。
【０００２】
【従来の技術】
一般的な一定流量形エアラインマスクは、作業者の腰部に装着する腰ベルトにエア流量調整装置が配置され、コンプレッサ等から送られた中圧空気（２〜７ｋｇｆ／ｃｍ2 ）は定置式ろ過筒やエアフィルタ等により清浄され、エア流量調整装置に供給される。そしてエア流量調整装置に供給された中圧空気は、マスク内に送り込む空気量の調整を行った後、蛇管と呼ばれる蛇腹状で伸縮自在な外径３５ｍｍ程度のゴム製ホースによりマスク内へ供給される。
【０００３】
【発明が解決しようとする課題】
上記した一般的なエアラインマスクでは、中圧ホースの接続部であるエア流量調整装置が腰ベルトに装着され、特に這って作業するような狭所等では、同装置を視認できないため、流量の調整が困難であった。
また上記した一般的なエアラインマスクではマスクとそれに連結したホースの延長線上にろ過筒やフィルタが取り付けられており、保管中にマスクの接顔側開口面から粉じんがホース内部に堆積することがあり、この粉じんを、マスク装着者が吸引してしまうことがあった。さらにはエア供給時にホース内部で風切り音（騒音）がするという欠点も有していた。また腰ベルトのエア流量調整装置からマスク面口部に至る蛇管は太く重いため作業者の負担となると共に、自重で作業者の体から離れて、作業現場の凹凸部にホースを引っかけてしまい作業の効率を低下するという問題点も有していた。
【０００４】
本発明の目的は、このような従来技術の問題点を解決することにあり、特に狭所での作業でも安全・確実な作業が可能で作業者の負担を軽減したエアラインマスク、特に一定流量形エアラインマスクを提供することにある。
【０００５】
【課題を解決するための手段】
本発明は第１に、胸ベルトと肩ベルトからなるハーネス部を有すると共に、空気供給源から中圧空気を送り込む中圧ホースの連結部を該胸ベルトに配置し、手動式の調節ツマミを備えた一定量のエアを面体に供給するエア流量調整装置をマスク面口部に配置し、且つ該中圧ホース連結部と該エア流量調整装置間を少なくとも一部が伸長時と収縮時の全体の長さを変化させることなく伸縮するコイル構造をもつ中圧連結管で連結したことを特徴とする一定流量形エアラインマスクを提供する。
【０００６】
本発明は第２に、マスク面口本体内部にフィルタを装着してなる上記のエアラインマスクマスクを提供する。
本発明は第３に、該フィルタが粉じん除去機能をもつシート状フィルタと消音機能をもつ発泡体フィルタとの複合構造フィルタである上記のエアラインマスクを提供する。
【０００７】
【発明の実施の形態】
以下、図面に基づいて本発明を説明する。
図１は本発明のエアラインマスクの一例を示す全体図である。
本発明のエアラインマスクは胸ベルト１と肩ベルト６からなるハーネス部を有し、従来のエアラインマスクとは異なり、胸ベルト１にコンプレッサ等からの中圧空気を送る中圧ホース連結部２を配置し、一方、マスク面口部に、エア流量調整装置３を配置し、中圧ホース連結部２とエア流量調整装置３の間を、少なくとも一部をコイル形状の伸縮構造とした中圧ホース４で連結する。図中５はマスク面口本体内部に設けたフィルタ充填部であり、これはエア流量調整装置３と連結している。
【０００８】
図２はハーネス部と中圧連結管の組立図である。胸ベルト１に配置した中圧ホース連結部２にはコンプレッサ等からの中圧空気を送る中圧ホース（エアラインホース）１０の末端連結部が接続される。中圧ホース連結部２の他方には伸縮構造をもつ中圧連結管４の末端連結部が連結される。図２ではホースニップル７を用いた例を示す。中圧連結管４の他端の連結部がマスク面口部に配置したエア流量調整装置３に連結される。図２ではホースソケット８を用いた例を示す。伸縮構造をもつ中圧連結管が作業者の体により密着するように一方の肩ベルト６に保持される。９はバックルを示す。
上記のように胸ベルトと肩ベルトからなるハーネス部を設けることにより装着中の安定性が増すと共に、ホース連結部からマスク面口部までの中空連結管を短くすることができ狭所での作業性が向上する。
【０００９】
マスク面口部に配置するエア流量調整装置３としては、基本的には従来の一定流量形エアラインマスクの腰ベルトに配置されていたエア流量調整装置をそのまま用いることができる。好ましいエア流量調整装置の断面図を図３に示す。
このエア流量調整装置に供給された空気は、同装置の調節ツマミによって装着者の呼吸に合わせ適当な量に調整され、好ましくはマスク面口本体内部に装着したフィルタを介して、マスク内部へと供給される。
【００１０】
このようにエア流量調整装置をマスク面口部に配することにより、視認可能な位置で容易にエア流量調整を行うことができることはもとより、這って作業するような狭所で手の移動に困難を伴う場合でも、同装置の調節ツマミまで手を移動することは容易であり、作業性が大幅に向上する。
本発明ではこのエア流量調整装置と胸ベルトに配置した中圧ホース連結部の間の連結管として少なくとも一部を伸縮構造とした中圧連結管を用いるが、この中圧連結管は圧力に関する規格についてはＪＩＳ−Ｔ８１５３の中圧ホースの要件を満足し、その他の規格についてはＪＩＳ−Ｔ８１５３の連結管の要件を満足するプラスチックホースが好ましく用いられる。できるだけ小径で軽量なものが好ましく、例えば外径が５〜１５ｍｍ程度の架橋ポリウレタンホース等が好ましく用いられる。
【００１１】
この中圧連結管はその一部を伸縮構造とすることを要する。伸縮構造としては図１及び２に示したようなコイル形状が好ましく、中圧連結管の中央部等の適宜の位置に３〜１０巻程度のコイル形状を付与することが好ましい。このような伸縮構造を付与することにより、連結管が作業者の動きに追従し、体からの離脱部が少なくなり、作業性が一層向上する。
【００１２】
本発明の好ましい態様では、前記したようにマスク面口本体内部にフィルタを装着する。このフィルタは粉じん除去の機能をもつ静電フィルタ等のシート状フィルタと消音機能をもつ発泡体フィルタの複合構造とすることが好ましい。
このようなフィルタを装着したマスク面口部の断面図を図４に示す。
上記の複合フィルタを装着することにより、保管中に面体の開口面から粉じんがホース内壁に堆積することを防ぐことができ、また保管の方法によっては他の開口部からホース内壁に粉じんが堆積するおそれもあるが、これらがマスク使用中に再飛散してもそれらを除去することができ、しかもエア供給時に発生する騒音を消音することが可能となる。
【００１３】
【実施例】
中圧ホース連結部２からマスク面口部のエア流量調整装置３までの連結管として、外径６ｍｍ、内径４ｍｍの架橋ポリウレタン製の中圧連結管の一部を外径３０ｍｍで５巻コイル状に巻いてその形状を固定処理した連結管を用い、マスク面口本体内に装着するフィルタとして、外径１８ｍｍ、厚さ２０ｍｍのウレタンフォームフィルタと空気供給量３０  ｌ／ｍｉｎ時にＮａＣｌ粒子の捕集効率が９５％以上となる外径２０ｍｍ、厚さ２．５ｍｍの静電フィルタの二層構造フィルタを用いて、図示した一定流量形エアラインマスクを作製した。
【００１４】
この一定流量形エアラインマスクは作業性に極めて優れていた。
上記の二層構造フィルタの消音効果を調べるため、供給圧力０．７ＭＰａ、中圧ホース内径８ｍｍ、ホース長さ１０ｍ時に、１ｍ離れた位置でデシベル数を測定したところ、フィルタ無しの場合は９２ｄＢであったが、二層フィルタ装着時には７０ｄＢに消音された。
【００１５】
【発明の効果】
本発明のエアラインマスクは、狭所でも安全・確実な作業が可能で作業者の負担を軽減できる。またマスク面口本体内部にフィルタを装着させることにより、保管中にホース内壁に粉じんが堆積することを防ぐと共に万一堆積してもそれを使用時に防去することができる。またフィルタとして発泡体フィルタを併用することによりエア供給時に発生する騒音を消音することもできる。
【図面の簡単な説明】
【図１】本発明の一定流量形エアラインマスクの全体図。
【図２】本発明の一定流量形エアラインマスクの胸ベルトと中圧連結管の組立図。
【図３】本発明の一定流量形エアラインマスクにおけるエア流量調整装置の断面図。
【図４】本発明の一定流量形エアラインマスクのマスク面口部の断面図。
【符号の説明】
１    胸ベルト
２    中圧ホース連結部
３    エア流量調整装置
４    中圧連結管
５    フィルタ充填部
６    肩ベルト
７    ホースニップル
８    ホースソケット
９    バックル
１０    エアラインホース
１１    狭所ジョイント（フィルタ押さえ）
１２    シート状フィルタ
１３    発泡体フィルタ
１４    狭所ジョイント（中間部）
１５    座板
１６    面体
１７    ホルダーボンネット
１８    狭所ジョイント（ろ材装入部）
【図１】
0003876289.tif 000002
【図２】
0003876289.tif 000003
【図３】
0003876289.tif 000004
【図４】
0003876289.tif 000005